(57)【要約】  電子ユニット（２０）が組み込まれたボーリング・ヘッド（１）が提供され、電子ユニット（２０）が、制御ユニット（６０）と、ディスプレイ（３０）と、電源（４１）用の隔室（２６）とを備える。ディスプレイ（３０）は、制御ユニット（６０）に接続され、ボーリング・ヘッド（１）の状態に関する情報をユーザに表示する働きをする。隔室（２６）は、制御ユニット（６０）及びディスプレイ（３０）に電力を供給する電源（４１）を収容する働きをする。電子ユニット（２０）は、全体として、ボーリング・ヘッド（１）のコンパクトなサブアセンブリとして設計されている。【選択図】  図３
2019527623.tif 000002
【特許請求の範囲】
【請求項１】
電子ユニット（２０）が組み込まれたボーリング・ヘッド（１）であって、
前記電子ユニット（２０）が、
制御ユニット（６０）と、
前記ボーリング・ヘッド（１）の状態に関する情報をユーザに表示するための、前記制御ユニット（６０）に接続されたディスプレイ（３０）と、
前記制御ユニット（６０）及び前記ディスプレイ（３０）に電力を供給する電源（４１）用の隔室（２６）と
を備え、
前記電子ユニット（２０）が、全体として、前記ボーリング・ヘッド（１）のコンパクトなサブアセンブリとして設計される、前記ボーリング・ヘッド（１）。
【請求項２】
前記電子ユニット（２０）が、前記制御ユニット（６０）に前記ユーザが作用することを可能にするために、前記制御ユニット（６０）に作動可能に接続された少なくとも１つのボタン（４９）をさらに備える、請求項１に記載のボーリング・ヘッド（１）。
【請求項３】
前記電源（４１）用の前記隔室（２６）が、前記制御ユニット（６０）と前記ボタン（４９）との間に配置される、請求項２に記載のボーリング・ヘッド（１）。
【請求項４】
カバー（２８）が、前記電源（４１）用の前記隔室（２６）を覆うために設けられ、前記ボタン（４９）が、前記カバー（２８）によって形成される、請求項３に記載のボーリング・ヘッド（１）。
【請求項５】
前記電子ユニット（２０）が、前記ユーザによる前記ボタン（４９）の操作を検出するために、ピエゾ要素（５０）をさらに備える、請求項２〜４のいずれかに記載のボーリング・ヘッド（１）。
【請求項６】
前記ピエゾ要素が、ピエゾ・ダイヤフラム（５０）として形成され、前記ピエゾ・ダイヤフラム（５０）が、異方導電性接着剤（５８）を用いて前記制御ユニット（６０）に接続される、請求項５に記載のボーリング・ヘッド（１）。
【請求項７】
前記電子ユニット（２０）が、前記異方導電性接着剤（５８）を用いて前記ピエゾ・ダイヤフラム（５０）が接続されたピエゾ・ボード（５３）をさらに備え、前記ピエゾ・ボード（５３）が、前記電源（４１）用の前記隔室（２６）と前記ピエゾ要素（５０）との間に配置される、請求項６に記載のボーリング・ヘッド（１）。
【請求項８】
半径方向変位が可能なインサート・ホルダ（１１）と、前記インサート・ホルダ（１１）の前記半径方向変位を測定するセンサ（１６）とをさらに備え、前記センサ（１６）が、前記制御ユニット（６０）へ接続され、前記制御ユニット（６０）が、前記半径方向変位が前記ディスプレイ（３０）によって表示されるように前記ディスプレイ（３０）を制御するように適合される、請求項１〜７のいずれかに記載のボーリング・ヘッド（１）。
【請求項９】
前記電子ユニット（２０）が、前記制御ユニット（６０）と、前記ディスプレイ（３０）と、前記電源（４１）用の前記隔室（２６）と、好ましくはさらに、前記制御ユニット（６０）へ作動可能に接続されたボタン（４９）とがその中又は上に配置されたケーシング（２１）を備える、請求項１〜８のいずれかに記載のボーリング・ヘッド（１）。
【請求項１０】
プリント回路基板（ＰＣＢ）（６０）が、前記制御ユニットとして用いられる、請求項１〜９のいずれかに記載のボーリング・ヘッド（１）。
【請求項１１】
前記ＰＣＢ（６０）が、前記電子ユニット（２０）の背面を形成する、請求項１０に記載のボーリング・ヘッド（１）。
【請求項１２】
前記ＰＣＢ（６０）と前記ケーシング（２１）とが一体になって前記電子ユニット（２０）の内部空間を形成し、前記内部空間内に、前記ディスプレイ（３０）、及び前記電源（４１）用の前記隔室（２６）が配置され、特に、完全に前記内部空間内に配置される、請求項９に記載され、かつ請求項１０又は１１に記載のボーリング・ヘッド（１）。
【請求項１３】
前記電子ユニット（２０）が、データを前記制御ユニット（６０）から外部装置へ無線で送信するためのアンテナ（４２、６６、６７）をさらに備える、請求項１〜１２のいずれかに記載のボーリング・ヘッド（１）。
【請求項１４】
前記ボーリング・ヘッド（１）が、窪み部（５）を有する本体（２）を備え、前記電子ユニット（２０）が、前記窪み部（５）内に配置される、請求項１〜１３のいずれかに記載のボーリング・ヘッド（１）。
【請求項１５】
請求項１〜１４のいずれかに記載のボーリング・ヘッド（１）用の電子ユニット（２０）であって、
制御ユニット（６０）と、
前記ボーリング・ヘッド（１）の状態に関する情報をユーザに表示するための、前記制御ユニット（６０）に接続されたディスプレイ（３０）と、
前記制御ユニット（６０）及び前記ディスプレイ（３０）に電力を供給する電源（４１）用の隔室（２６）と
を備え、
全体として、コンパクトなサブアセンブリとして設計される、前記電子ユニット（２０）。
【発明の詳細な説明】
【技術分野】
【０００１】
本発明は、電子ユニットを有するボーリング・ヘッド、及びそのようなボーリング・ヘッドの電子ユニットに関する。特に、本発明は、切削インサートを保持するボーリング・ヘッドに関し、そのボーリング・ヘッドは、工作機械の駆動源から切削インサートへ回転運動を伝達するように適合され、その切削インサートは、特に、切屑生成式の金属切削用に設計されている。
【背景技術】
【０００２】
たとえば切屑生成式の金属切削に使用されるボーリング・ヘッドは、しばしば、切削インサートの切れ刃の半径方向調節を可能にするために、半径方向に変位可能なインサート・ホルダを備える。切削インサートの半径方向変位量は、ボーリング・ヘッドの極めて重要なパラメータになり、通常、インサート・ホルダを半径方向に変位させることができる調節ねじに設けられた目盛を用いてユーザに示される。
【０００３】
高精度な機械操作においても、ユーザにより良い快適さを提供するためにも、切削インサートの半径方向変位を、ボーリング・ヘッドの他の可能な状態データと共に、ディスプレイを用いて、ディジタル式に表示することが望ましいことが多い。このために、目盛付きの調節ねじに加えて又はその代わりに、液晶ディスプレイ（ＬＣＤ）などのディスプレイを用いることができる。
【０００４】
特許文献１では、切れ刃の位置を手動で調節する調節器具に、ディスプレイが配置されている。すなわち、ディスプレイは、ボーリング・ヘッドに直接配置されずに、別の装置に配置されている。
【０００５】
切削インサートの実際の半径方向変位を表示する一体型ディスプレイを備えるボーリング・ヘッドが、特許文献２によって開示されている。
【０００６】
ボーリング・ヘッドにディスプレイを設けることは、インサート・ホルダの変位を測定するセンサを追加して設ける必要があるばかりでなく、制御ユニットならびに何らかの電力源を設けて、ディスプレイを制御し、ディスプレイ及び制御ユニットへ電力を供給する必要があるので、通常、ボーリング・ヘッドが複雑で高価な構造になる。一体となって電子ユニットを形成するこれら電気構成要素の全てを、ボーリング・ヘッドの限られた空間内になんとかして配置する必要があり、内部で相互に接続する必要がある。
【０００７】
さらに、通常、高回転速度のために、多数の電気構成要素及びそれら構成要素を接続するために使用される電気配線が、ボーリング・ヘッドの作動中、高い遠心力に曝される。それら電気構成要素及び配線にアクセスすることを可能にする複数のカバーのどれかから埃粒子及び冷却液がボーリング・ヘッドに入る高い危険性がある。その結果、電子ユニットを設けることは、従来技術のボーリング・ヘッド内の構成要素のどれかに不具合を起こす危険性を増す。
【先行技術文献】
【特許文献】
【０００８】
【特許文献１】国際公開第２００６／０００７４６号
【特許文献２】独国特許出願公開第１０２０１３２１７９１１号明細書
【発明の概要】
【発明が解決しようとする課題】
【０００９】
本発明の目的は、構造が簡単であり不具合の危険性が低減する、電子ユニットを有するボーリング・ヘッドを提供することである。
【課題を解決するための手段】
【００１０】
この目的は、請求項１に記載のボーリング・ヘッドによって解決される。ボーリング・ヘッドのさらなる実施形態が、従属請求項に示されている。そのようなボーリング・ヘッドの電子ユニットが、請求項１５に記載されている。
【００１１】
以下において、上方、下方、内方、外方などの位置及び方向に関する全ての表示は、正常な使用、すなわち被工作物を機械加工するときにおけるボーリング・ヘッドの通常の回転方向によって定義される回転軸に垂直に向いたボーリング・ヘッドの半径方向に対するものである。ボーリング・ヘッドの要素の前側とは、半径方向外方に向き、したがってユーザに可視要素を表示することができる、要素の面を通常意味する。背面は、通常、半径方向内方へ向いている、要素の面である。
【００１２】
本発明は、電子ユニットが組み込まれたボーリング・ヘッドであって、
電子ユニットが、
制御ユニットと、
ボーリング・ヘッドの状態に関する情報をユーザに表示するための、制御ユニットに接続されたディスプレイと、
制御ユニット及びディスプレイに電力を供給する電源用の隔室と
を備える、ボーリング・ヘッドを提供する。
電子ユニットは、全体として、ボーリング・ヘッドのコンパクトなサブアセンブリとして設計されている。
【００１３】
ボーリング・ヘッドは、回転運動を駆動源、たとえば工作機械のスピンドルから、たとえば被工作物を機械加工する切削インサートへ伝達するように適合されている。切削インサートは、特に、切屑生成式の金属切削に適合させることができる。ボーリング・ヘッドは、電子ユニットが取り付けられ、好ましくはステム部及びヘッド部を備える本体を通常備える。ステム部は、好ましくは、本質的に円筒形であるが、円錐形でもよく、多角形の断面を有してもよい。ヘッド部は、好ましくは、本質的に円筒形である。ステム部は、通常、ボーリング・ヘッドを駆動源、たとえば工作機械のスピンドルへ接続する働きをする。ヘッド部には、通常、被工作物を機械加工するための切削インサート、及び好ましくはさらに電子ユニットが取り付けられている。電子ユニットは、ボーリング・ヘッドの組込部品を形成し、通常、切削インサートの完全に内方、少なくとも切削インサートの半径方向最外端の完全に内方に配置される。
【００１４】
電子ユニットに関して、コンパクトなサブアセンブリとして設計されるということは、電子ユニットが、ボーリング・ヘッドの他の部分とは明確に境界を画したモジュール状の構成要素であることを意味する。したがって、電子ユニットは、全体として、ボーリング・ヘッドの他の構成要素に対して独立し明確に境界を画した構造構成要素を形成する。電子ユニットの様々な構成要素、すなわち、少なくとも制御ユニット、ディスプレイ、及び電源用の隔室は、通常、共に近接して配置され、これら様々な構成要素を相互接続する全ての電気配線は、好ましくは、電子ユニット内で張り廻らされ、ボーリング・ヘッドの他の部品を通らない。任意選択的に、電子ユニットは、いくつかのねじを緩めることによるなど、少しの単純な操作のみによって、ボーリング・ヘッドから破壊せずに全体として取外し可能にすることができ、それによって、電子ユニットは、ボーリング・ヘッドから取り外した後、単一のコンパクトな部品を形成するようになる。
【００１５】
サブアセンブリの形態でのコンパクトな構成によって、電子ユニットは、ボーリング・ヘッドの他の部分とは完全に独立して製造することができる。電子ユニットの構成要素を相互接続する全ての電気配線が、好ましくは、完全に電子ユニット内で張り廻らされているので、ボーリング・ヘッド内に存在する電線の数を著しく減らすことができる。有利には、不具合の危険性をさらに低減するために、電子ユニットは、電線を全く備えず、接点、プリント回路などの形態での電気接続のみを備える。電子ユニットのコンパクトな構成によって、ボーリング・ヘッドは、任意選択で、たとえば洗浄目的や交換のために、本体から電子ユニットを容易に取り外すことができるように構成することができる。さらに、コンパクトな構成を有する電子ユニットは、任意選択で、埃粒子及び液体に対してシールすることができる。それによって、ボーリング・ヘッドは、さらに、不具合の危険性が低減される。
【００１６】
通常、制御ユニットは、ボーリング・ヘッドのパラメータを測定する働きをする、あるタイプのセンサへ接続されている。センサは、必須ではないが、電子ユニットの一部にすることができる。パラメータは、好ましくは、ボーリング・ヘッドに取り付けられている切削インサートの半径方向位置である。制御ユニットは、好ましくは、センサから受け取った入力信号を、個々の値を表示するディスプレイに対する入力信号として機能する出力信号へ処理するように適合されている。このために、制御ユニットは、通常、少なくともアナログ・ディジタル変換器、又は汎用非同期送受信回路（ＵＡＲＴ）、シリアル周辺機器インターフェース（ＳＰＩ）、アイ・スクエアド・シー（Ｉ２Ｃ）などのシリアル通信ポートを備える。ディスプレイは、好ましくは、液晶ディスプレイ（ＬＣＤ）、ドット・マトリックス、ＴＦＴ、又は電子ペーパを備える。
【００１７】
電源には、好ましくは、普通の電池が充てられる。特に好ましい実施形態では、隔室は、ボタン電池を収容するように適合され、ボタン電池は、特に省スペースである。隔室内には、電源を制御ユニット及びディスプレイに電気接続するために、それぞれの接点要素が、通常、設けられる。
【００１８】
好ましくは、電子ユニットは、制御ユニットにユーザが作用することを可能にするために、制御ユニットに作動可能に接続された少なくとも１つのボタンをさらに備える。有利には、プッシュ・ボタンとして設計されたボタンは、好ましくは、電子ユニット及び特にディスプレイのスイッチをオン／オフする働きをする。ボタンは、たとえばその操作の順序又は持続時間に応じて、たとえばリセット機能などのさらに別の機能性を発揮することができる。
【００１９】
電源用の隔室を、制御ユニットとボタンとの間に配置すると、著しく省スペースな構成を達成することができる。
【００２０】
通常、カバーが、電源用の隔室を覆うために設けられる。カバーは、好ましくは、ボーリング・ヘッドに、たとえばねじを用いて、取外し可能に取り付けられ、それによって、電源を、必要時に容易に交換することができる。電子ユニットがボタンも備える場合には、ボタンは、好ましくは、隔室のカバーによって形成される。電子ユニットのそのような設計は、著しく省スペースである。
【００２１】
ボタンの機能の原理は、好ましくは、ピエゾ要素に基づく。ピエゾ要素は、ユーザによるボタンの操作を検出するように適合されている。ピエゾ要素を用いることによって、マイクロメートルの範囲にすらなり得るボタンの最小限の動きを、通常、検出することができる。そのようなボタンによって、ボーリング・ヘッドの著しく厳密なシールを達成することができる。ピエゾ要素は、有利には、電源用隔室と、ボタンを形成するカバーとの間に配置される。
【００２２】
好ましくは、ピエゾ要素は、ピエゾ・ダイヤフラムとして形成される。特に好ましい実施形態では、ピエゾ・ダイヤフラムは、異方導電性接着剤を用いて制御ユニットへ接続される。電子ユニットは、ピエゾ・ダイヤフラムが、取り付けられ、異方導電性接着剤によって接続されるピエゾ・ボードをさらに備え得る。異方導電性接着剤とは、好ましくは、それ自体は非導電性であるが、その中に導電性粒子が埋め込まれている、膠などの接着剤である。２つの構成要素、すなわちピエゾ・ダイヤフラムとピエゾ・ボードとを合わせて、任意選択で温度の影響下（熱圧着）で、押圧して互いに接着させると、間に配置された異方導電性接着剤が圧縮され、その結果、導電性粒子の少なくとも一部が、両方の構成要素に接触するようになるか、又は、２つの構成要素間の導電性ブリッジが、導電性粒子によって形成される。ピエゾ・ダイヤフラムを制御ユニットへ、特に、ピエゾ・ボードへ接続するために異方導電性接着剤を使用することによって、著しく強固かつ省スペースなピエゾ・ダイヤフラムの接続を達成することができる。
【００２３】
異方導電性接着剤を用いて、ピエゾ・ダイヤフラムを制御ユニット又は接続要素へ、特に、ＰＣＢへ接続するという原理は、基本的に、他のボーリング・ヘッドに適用することもできることに留意されたい。この原理を適用するのに適しているそれぞれのボーリング・ヘッドは、通常、ピエゾ・ボタンを有するが、構成がコンパクトなディスプレイ又は電子ユニットを備えることを必ずしも必要としない。したがって、異方導電性接着剤を用いて、ピエゾ・ダイヤフラムを制御ユニット又は接続要素へ接続するという原理は、別の独立した発明に相当する。
【００２４】
ピエゾ・ボードは、プリント回路基板の形態を有し得る。好ましくは、ピエゾ・ボードは、電源用の隔室とピエゾ要素との間に配置される。
【００２５】
特に好ましい実施形態では、ボーリング・ヘッドが、半径方向に変位可能なインサート・ホルダと、インサート・ホルダの半径方向変位を測定するセンサとを備える。センサは、好ましくは、制御ユニットへ接続され、制御ユニットは、インサート・ホルダの半径方向変位がディスプレイによって表示されるようにディスプレイを制御するように適合されている。
【００２６】
電子ユニットは、有利には、制御ユニット、ディスプレイ、電源用の隔室、及び、好ましくはさらに、ボタンがその中又は上に配置されたケーシングを備える。そのようなケーシングを設けることによって、ボーリング・ヘッドの他の部分から独立して製造することができる著しくコンパクトな電子ユニットを達成することができる。すなわち、そのような実施形態では、制御ユニット、ディスプレイ、電源用の隔室、及び、好ましくはさらに、ボタンを一体として有するケーシングが、たとえば少数の固定ねじのみによって本体に取り付けることができる、ボーリング・ヘッドの独立したサブアセンブリを形成する。
【００２７】
制御ユニットは、好ましくは、プリント回路基板（ＰＣＢ）として形成される。ＰＣＢは、有利には、信号処理ユニット及び／又はメモリ・チップを備える。
【００２８】
ＰＣＢは、有利には、電子ユニットの側壁を形成する。ＰＣＢは、特に、電子ユニットの背面、すなわち背面壁を形成することができる。
【００２９】
好ましい実施形態では、ＰＣＢとケーシングとが一体になって電子ユニットの内部空間を形成し、その内部空間内に、ディスプレイ、及び電源用の隔室が配置され、特に、完全に前記内部空間内に配置される。ボタンの電子要素、たとえばピエゾ要素は、好ましくは、この内部空間内にやはり配置される。
【００３０】
電子ユニットは、好ましくは、コンピュータ又は携帯電話など、外部装置と無線通信するように適合されている。電子ユニットは、特に、「ＢＬＥ（Bluetooth Low Energy）」規格に則った無線通信に適合させることができる。データを制御ユニットから外部装置へ無線で送信するために、電子ユニットは、好ましくは、アンテナを備える。有利には、電子ユニットのケーシングの窓が、アンテナ放射を外部へ伝播するために使用される。すなわち、アンテナは、ケーシングの窓を通して電磁波を放射するように適合されている。窓は、好ましくは、ユーザがディスプレイを見ることを可能にするディスプレイ窓である。有利には、アンテナは、ＰＣＢに組み込まれた高周波（ＲＦ）グランド・プレーンと、電子ユニットのケーシングによって形成される導電性要素とを備える。グランド・プレーン及び導電要素が、アンテナの２つの分枝を形成する。グランド・プレーンは、有利には、ディスプレイ窓の背面に直接配置される。別法として、やはり好ましい実施形態だが、アンテナ全体を、ＰＣＢに組み込むことができる。そのような場合、アンテナは、有利には、ディスプレイ窓の背面に直接配置され、それによって、電磁波を、アンテナからディスプレイ窓を通して外部へ放射することができる。
【００３１】
本体は、好ましくは、半径方向に好ましくは開口する窪み部を備える。電子ユニットは、有利には、その窪み部内に配置される。窪み部は、好ましくは、ヘッド部に設けられ、特に、ヘッド部の本質的に円筒形の側壁内に設けられる。
【００３２】
本発明の好ましい実施形態が、図面を参照して以下に説明され、それら図面は、本発明の好ましい現実施形態を例示するためのものであり、本発明の実施形態を限定するためのものではない。
【図面の簡単な説明】
【００３３】
【図１】本発明の実施形態によるボーリング・ヘッドの透視図である。
【図２】図１のボーリング・ヘッドの上面図である。
【図３】図１のボーリング・ヘッドの、一部が中心で切り欠かれた、側面図である。
【図４】図１のボーリング・ヘッドの電子ユニットの正面の、電池カバーを除いた、平面図である。
【図５】図１のボーリング・ヘッドの電子ユニットの正面の、電池カバーを除いた、透視図である。
【図６】図１のボーリング・ヘッドの電子ユニットの背面の、電池カバーを除いた、透視図である。
【図７】図１のボーリング・ヘッドの電子ユニットの背面の、電池カバーを除いた、図４に示された線ＶＩＩ−ＶＩＩに沿った断面透視図である。
【図８】図１のボーリング・ヘッドの電子ユニットの、電池カバーを除いた、分解組立透視図である。
【図９】図１のボーリング・ヘッドの電子ユニットの電池カバーの正面の平面図である。
【図１０】図１のボーリング・ヘッドの電子ユニットの電池カバーの正面の透視図である。
【図１１】図１のボーリング・ヘッドの電子ユニットの電池カバーの背面の透視図である。
【図１２】図１のボーリング・ヘッドの電子ユニットの電池カバーの断面図である。
【図１３】電池カバーの製造中、押圧前の、図１２で破線によって示した領域の拡大図である。
【図１４】電池カバーの製造中、押圧後の、図１２で破線によって示した領域の拡大図である。
【図１５】図１のボーリング・ヘッドの電子ユニットの電池カバーの正面の組立分解透視図である。
【図１６】図１のボーリング・ヘッドの電子ユニットの電池カバーの背面の分解組立透視図である。
【図１７】一体組込式アンテナを用いてデータを無線で発信するときの、図１のボーリング・ヘッドの透視図である。
【図１８】図１のボーリング・ヘッドの電子ユニットのＰＣＢの正面の平面図である。
【発明を実施するための形態】
【００３４】
図１から１８に、本発明のボーリング・ヘッド１の好ましい実施形態、あるいはその実施形態の１つ又は複数の部品が示されている。
【００３５】
図１に示されるように、ボーリング・ヘッド１は、全体を単体として製作された本体２を備える。本体２は、一般的に円筒形のステム部３と、本質的に円筒形のヘッド部４とを備える。ヘッド部４より小さい直径を有するステム部３は、工作機械のスピンドルなどの駆動源にボーリング・ヘッド１を接続する働きをする。ボーリング・ヘッド１の作動に際し、図示されていない駆動源は、ボーリング・ヘッド１に回転運動を行わせる。このために、ステム部３は、トルクに耐えられるように駆動源に取り付けられ、それによって、ボーリング・ヘッド１は、駆動源の回転運動を切削インサート１４へ伝達することができ、その切削インサートは、切屑生成式の金属切削に、すなわち機械加工される被工作物に直接作用するように適合されている。
【００３６】
ボーリング又はミリング・マシンの駆動源に、トルクに耐えられるようにボーリング・ヘッド１を固定するために、ボルト７が、ステム部３に取外し可能に配置されている。ボルト７は、ステム部３を貫通して横向きに、すなわち半径方向に延在する。
【００３７】
ステム部３及びヘッド部４の本質的に円筒形の形状によって、ボーリング・ヘッド１の中心長手方向軸及び半径方向が定まる。中心長手方向軸は、正規使用におけるボーリング・ヘッド１の回転軸と一致する。
【００３８】
ボーリング・ヘッド１のヘッド部４は、ヘッド部４を貫通して直径方向に延在する横向き、すなわち半径方向のチャネルを備える。このチャネル内に、プランジャの形態の工具キャリヤ１０が配置されている（図３参照）。インサート・ホルダ１１が、チャネルの外側で、工具キャリヤ１０の第１の端面に取り付けられている。インサート・ホルダ１１は、締付ねじ１２を用いて工具キャリヤ１０に取り付けられている。インサート・ホルダ１１は、切屑生成式の金属切削のために被工作物に直接作用するように適合された切れ刃を有する切削インサート１４を保持する。切削インサート１４の切れ刃が、半径方向に沿って、ボーリング・ヘッド１の最も外側の部分になる。
【００３９】
調節ねじ１３が、工具キャリヤ１０の第２の端面に取り付けられ、その調節ねじによって、工具キャリヤ１０を半径方向に変位させることができる。調節ねじ１３は、対応する６角キーを用いて調節ねじ１３を回転させるための６角形のソケットを有する。調節ねじ１３を回転させると、工具キャリヤ１０が、半径方向に変位する。工具キャリヤ１０の大まかな変位をユーザに示すために、目盛を任意選択で調節ねじ１３上に印すことができる。
【００４０】
ヘッド部４に、たとえば、このボーリング・ヘッド１と組み合わせて使用することができる様々な切削インサート１４及び／又はインサート・ホルダ１１に関する情報など、ある程度の情報をユーザに与えるために、刻印６を設けることができる。
【００４１】
工具キャリヤ１０の長手延在方向に対して垂直方向に向いたヘッド部４の側面に、窪み部５が設けられている。窪み部５は、ヘッド部４の、外向きに開放された直方体の内部空間を形成する。窪み部５の内部空間は電子ユニット２０を収納する役割を果たす。
【００４２】
電子ユニット２０は、工具キャリヤ１０の実際の半径方向変位を計算し、対応する変位値をディスプレイ３０上でユーザに示す働きをする。このために、電子ユニット２０は、普通の電池４１用の電池隔室２６、ディスプレイ３０、プッシュ・ボタン４９、及びプリント回路基板（ＰＣＢ）６０を備える。電子ユニット２０のそれら電気構成要素の全てが、内部で相互に接続され、それによって、電池４１が、電力をＰＣＢ６０及びディスプレイ３０に供給することができ、ユーザが、プッシュ・ボタン４９を押すことによってＰＣＢ６０の信号処理、したがってディスプレイ３０の表示に影響を及ぼすことができる。電子ユニット２０全体が、ボーリング・ヘッド１のヘッド部４内に組み込まれている。
【００４３】
工具キャリヤ１０の実際の半径方向変位を測定するために、測定領域１５が、図３に見ることができるように、工具キャリヤ１０に設けられている。測定領域１５は、静止センサ１６に直接隣接して配置され、その静止センサ１６は、そのセンサ１６に対する測定領域１５の半径方向変位を測定するように適合されている。たとえば、センサ１６はホールセンサ又は異方性磁気抵抗であり、測定領域１５は永久磁石であり得る。
【００４４】
センサ１６は、電子ユニット２０のＰＣＢ６０に電気的に接続され、それによって、工具キャリヤ１０の実際の変位を反映する信号をＰＣＢ６０に伝達することができる。ＰＣＢ６０は、その背面に接点要素又は接点面を備え、それらが、センサ１６に接続されたそれぞれの接点要素に接触する。
【００４５】
図４〜７に見られるように、電子ユニット２０は、全体として、ヘッド部４の窪み部５に嵌まり込む本質的に直方体の外形を有する。電子ユニット２０の外形は、全体として金属から単体として製作された電子ケーシング２１によって、主として形成される。電子ケーシング２１は、ディスプレイ３０及び電池隔室２６がその中に完全に配置される内部空間を有する。この内部空間は、電子ケーシング２１、ならびに電子ユニット２０の背面を形成するＰＣＢ６０が、境界を画する。このように、全体として、電子ユニット２０は、コンパクトな構造を有する。
【００４６】
電子ケーシング２１は、本質的に矩形の外周側方フレームを形成し、そのフレームが、窪み部５の側壁に対して、電子ユニット２０及びその電子構成要素の側方を画定する。電子ケーシング２１の内部空間は、２つの隔室、すなわちディスプレイ３０を収容する第１の隔室及び電池４１を収容する第２の隔室に分割される。内部空間の両隔室は、側面を全ての方向において電子ケーシング２１によって画定され、背側をＰＣＢ６０によって画定される。前方では、内部空間の第１の隔室は、電子ケーシング２１によって形成された矩形のディスプレイ窓２５に挿入された透明なディスプレイ・カバー・ガラス３１によって画定される（図４及び７参照）。内部空間の第２の隔室は、取外し可能な電池カバー２８（図３）によって前方を画定され、それによって、電池隔室２６が、電池カバー２８とＰＣＢ６０との間に配置される。
【００４７】
電子ユニット２０をボーリング・ヘッド１のヘッド部４に取り付けるために、図４〜６に見られるように、ねじ穴２２が、電子ケーシング２１の各角部に設けられている。ＰＣＢ６０は、対応する切除部を各角部に備える（図６）。電子ユニット２０をボーリング・ヘッド１の本体２に固定するために、固定ねじ２４（図１）が、ねじ穴２２に通され、対応して本体２にこのために設けられたそれぞれのねじ穴にねじ込まれる。このように、電子ユニット２０は、ボーリング・ヘッド１のその他の部分から完全に独立して製造することができる、ボーリング・ヘッド１のコンパクトなサブアセンブリを形成する。その製造後に、電子ユニット２０全体を、固定ねじ２４を用いて本体２に簡単にねじ止めすることができる。
【００４８】
完全に組み立てられた電子ユニット２０について全体が本質的に平坦な前面を達成するために、電子ケーシング２１は、電池隔室２６の領域の前面に、電池カバー２８を収容するための窪み部を備える。窪み部は、電池カバー２８によって側方が完全に埋め尽くされるように、かつ、電池カバー２８の前面が、隣接する電子ケーシング２１の前面と同一平面になるように寸法設定される。ねじ穴２３が、固定ねじ４８を用いて電池カバー２８を電子ケーシング２０に固定するために、電子ケーシング２０に設けられている。
【００４９】
図８にその構成が見られるディスプレイ３０は、ディスプレイ・カバー・ガラス３１と、分離フォイル３２と、液晶ディスプレイ（ＬＣＤ）３３と、２つのゼブラ・ストリップ・コネクタ３４とを備える。
【００５０】
ディスプレイ・カバー・ガラス３１は、電子ケーシング２１のディスプレイ窓２５に配置され、外部の機械的影響、埃粒子、及び湿気からＬＣＤ３３を保護する働きをする。分離フォイルは、ディスプレイ・カバー・ガラス３１とＬＣＤ３３との間に配置される。
【００５１】
ＬＣＤ３３は、工具キャリヤ１０、したがって切削インサート１４の半径方向変位をユーザに示す働きをする。このために、ＬＣＤ３３は、ゼブラ・ストリップ・コネクタ３４によって、ＰＣＢ６０に設けられた一連のコネクタ面に電気的に接続される。ゼブラ・ストリップ・コネクタ３４は、同時に、ＬＣＤ３３をディスプレイ・カバー・ガラス３１及びディスプレイ窓２５の近くに配置するためのスペーサとして働く。
【００５２】
電子ユニット２０の制御ユニットを形成するＰＣＢ６０には、様々な電子構成要素６４が配置され、それら構成要素は、対応する導体トラックによって相互に接続されている。ＰＣＢ６０の電子構成要素６４には、通常、センサ１６から受け取った入力信号をディジタル・データに変換するアナログ・ディジタル・コンバータと、そのディジタル・データを処理し、対応する入力信号をＬＣＤ３３に送る信号処理ユニットとが含まれる。ＰＣＢ６０は、測定された変位データを記憶するメモリ・チップをさらに備え得る。電子構成要素６４は、好ましくは、ＰＣＢ６０の背面に配置される。
【００５３】
ＰＣＢ６０の前側に、電池４１に接触する接点要素６２及び６３が設けられ、すなわち、電池４１の第１の極に接触する底面電池接点６２及び電池４１の第２の極に接触する側面電池接点６３であり、電池は、この場合、ボタン電池、特にＣＲ１０２５リチウム電池の形態を有する。
【００５４】
さらに別の接点要素６１が、ＰＣＢ６０の前側に設けられ、その接点要素はプッシュ・ボタン４９に接触する働きをする。プッシュ・ボタン４９を取外し可能な電池カバー２８に一体化することにより、接点要素６１は、ばね接点として構成され、電池カバーについては以下に詳細に説明される。
【００５５】
３本の固定ねじ６５及びアンテナ接続ねじ６６（これのさらに別の機能は後に説明する）を用いてＰＣＢ６０を電子ケーシング２１に固定するために、ＰＣＢは、電子ケーシング２１の背面に設けられたねじ穴２７に対応するねじ穴６９を備える。主シーリング６８が、電子ユニット２０及びボーリング・ヘッド１の内部に埃粒子及び湿気が入るのを防止するために、電子ケーシング２１とＰＣＢ６０との間に設けられる。
【００５６】
電子ユニット２０の内部空間の第２の隔室が、ボタン電池４１を収容する電池隔室２６を備える。図７及び８に見られるように、電池ケーシング４２が、第２の隔室内に配置される。電池ケーシング４２は、プラスチックなどの非導電性材料から製作され、電池隔室２６の側方、及び少なくとも部分的に背面側を画定する。下側電池シーリング４６が、電池ケーシング４２をＰＣＢ６０及び電子ケーシング２１に対してシールするために設けられ、上側電池シーリング４５が、電池ケーシング４２を電池カバー２８及び電池ケーシング４２に対してシールするために設けられている。
【００５７】
電池ケーシング４２は、背面に開口を備え、それによって、底面電池接点６２及び側面電池接点６３が、電池隔室２６内に突出して、電池４１に接触することができる。
【００５８】
プッシュ・ボタン４９も形成する電池カバー２８の構造が、図９〜１６に示される。電池カバー２８は、全体を単体として金属から製作されたカバー・プレート４０を備える。このカバー・プレート４０は、プッシュ・ボタン４９を形成する中央隆起部を前側にもつ、実質的に平坦な形状を有する。
【００５９】
３つのねじ穴４７が、電池カバー２８のカバー・プレート４０に設けられている。ねじ穴４７は、固定ねじ４８を用いて電池カバー２８を電子ケーシング２１に取外し可能に固定するのに使われる。
【００６０】
カバー・プレート４０は、その背面に窪み部４３を備え、その窪み部４３内にさらに別の窪み部４４がある（図１６参照）。窪み部４３及び４４は、ピエゾ・ダイヤフラム５０、ピエゾ・ボード５３、及び電池スペーサ５７を収容する働きをする。窪み部４３は、形状及び寸法においてピエゾ・ボード５３に対応し、ピエゾ・ボード５３を収容するように適合されている。窪み部４４は、その円形及び寸法においてピエゾ・ダイヤフラム５０に対応し、ピエゾ・ダイヤフラム５０を収容する働きをする。ピエゾ・ダイヤフラム５０及びピエゾ・ボード５３は、プッシュ・ボタンの電子構成要素になり、電池隔室２６とカバー・プレート４０との間に配置される。
【００６１】
ピエゾ・ダイヤフラム５０は、当業者には周知の通り、金属ディスク５１及び金属ディスク５１の背面に付着されたセラミック基板５２をもつ構造を有する。金属ディスク５１は、窪み部４４の深さとほぼ同じ厚さを有する円形のフォイルである。セラミック基板５２は、円形の表面コーティングとして金属ディスク５１に同心に付着されている。特に、プッシュ・ボタン４９に作用する押力負荷によって生じる、ピエゾ・ダイヤフラム５０の僅かな撓み又は変形が、金属ディスク５１とセラミック基板５２との間で測定される電圧の変化を生じる。ＰＣＢ６０は、ピエゾ・ダイヤフラム５０のそのような電圧の変化を検出するように適合されている。
【００６２】
ＰＣＢ６０の接点要素６１への金属ディスク５１及びセラミック基板５２の電気接続は、ピエゾ・ボード５３を介して達成される。このために、プリント回路基板として設計されているピエゾ・ボード５３は、前側に、金属ディスク５１の外周に接触する環状接点面５４と、セラミック基板５２に接触する中央接点面５５とを備える。環状接点面５４及び中央接点面５５は、それぞれ、ピエゾ・ボード５３の背面に配置されたそれぞれの接点面５６へピエゾ・ボード５３内で接続されている。電池カバー２８が電子ケーシング２１へ適切に取り付けられると、接点面５６は、それぞれ、ＰＣＢ６０の接点要素６１の１つと接触状態になり、それによって、ピエゾ・ダイヤフラム５０からの電気信号をＰＣＢ６０へ伝送する。
【００６３】
電池スペーサ５７が、たとえば接着剤を用いて、ピエゾ・ボード５３の背面に取り付けられる。電池スペーサ５７は、非導電性プラスチック材から製作され、電池４１がピエゾ・ボード５３に接触するのを防止する。
【００６４】
電池カバー２８の製造プロセスにおいて極めて重要なステップが、図１３及び１４に示されている。ピエゾ・ボード５３を、異方導電性接着剤５８によって、ピエゾ・ダイヤフラム５０及びカバー・プレート４０に取り付ける様子が図示される。すなわち、異方導電性接着剤５８を、ピエゾ・ダイヤフラム５０及びカバー・プレート４０の背面、又はピエゾ・ボード５３の前面のどちらかに塗布する。それぞれの構成要素を、次いで、意図通りに一体に組み、それによって、異方導電性接着剤５８を、ピエゾ・ボード５３、ピエゾ・ダイヤフラム５０、及びカバー・プレート４０のそれぞれと接触させる。異方導電性接着剤５８に埋め込まれた導電性粒子５９が、相互に離れて配置され、どの導電性粒子５９もピエゾ・ボード５３及びピエゾ・ダイヤフラム５０の両方には接触していない。その結果、異方導電性接着剤５８は、全ての方向に非導電性である。
【００６５】
次いで、電池カバー２８を、カバー・プレート４０とピエゾ・ボード５３とを互いに近付けるような方向に押圧する（図１４）。押圧は、任意選択で、通常１８０〜２００℃の温度の影響下で実施することができる（熱圧着）。それによって、導電性粒子５９も共に移動させられ、その結果、ピエゾ・ダイヤフラム５０の金属ディスク５１及びセラミック基板５２から、ピエゾ・ボード５３のそれぞれの接点面５４及び５５に届く導電性ブリッジが、導電性粒子５９によって形成される。ピエゾ・ダイヤフラム５０とピエゾ・ボード５３とは、図１４に示すように、１つの導電性粒子５９だけでピエゾ・ダイヤフラム５０とピエゾ・ボード５３との両方に接触するようになるほどの近さにまで相互に移動させることができる。このように、電池カバー２８のこの押圧された最終位置において、一方で、ピエゾ・ダイヤフラム５０の金属ディスク５１とピエゾ・ボード５３の環状接点面５４との間、他方で、ピエゾ・ダイヤフラム５０のセラミック基板５２とピエゾ・ボード５３の中央接点面５５との間に、異方導電性接着剤５８によって電気接触が確立される。しかしながら、異方導電性接着剤５８は、上記に対して垂直な方向には非導電性のままである。
【００６６】
ピエゾ・ダイヤフラム５０をピエゾ・ボード５３に取り付けるために異方導電性接着剤５８を使用することによって、著しく安全かつ省スペースな、これら２つの構成要素間の機械的及び電気的接続を達成することができる。
【００６７】
本実施形態のプッシュ・ボタン４９の機能は、プッシュ・ボタン４９を最初に押すと、電子ユニット２０及び特にディスプレイ３０にスイッチが入り、２度目に１秒より長く続けてプッシュ・ボタン４９を押すと、ディスプレイ３０上の半径方向変位の表示がゼロ値にリセットされるように、ＰＣＢ６０において、プログラムされている。
【００６８】
本実施形態によるボーリング・ヘッド１は、データ信号を電子ユニット２０から、コンピュータ、携帯電話、又は調節ねじ１３を調節する調節器具などの外部装置へ無線で送信するように適合されている。このように、切削インサート１４の半径方向変位のデータは、ディスプレイ３０上に表示するだけではなく、外部装置上にも表示することができる。
【００６９】
図１７及び１８は、データ信号を外部装置へ無線で送信することに対するボーリング・ヘッド１の適応形態を示す。このために、ボーリング・ヘッド１は、電磁波を送出するように適合されたアンテナを有する送信装置を備える。本実施形態では、送信ユニットは、「ＢＬＥ」規格に則って外部装置と無線で通信するように適合されている。当然、他の無線通信規格を適用することもでき、その場合、ボーリング・ヘッド１及び特に送信ユニットはそれに従って適合されることになる。
【００７０】
送信ユニットは、また、ＰＣＢ６０に配置された、２．４ＧＨｚのブルートゥース信号を発生させるためのブルートゥース・マイクロコントローラと、一連のインダクタ及びキャパシタを有する整合回路とを備え、その整合回路は、エネルギー損失を最小限に抑えるために、アンテナからのインピーダンスをブルートゥース・マイクロコントローラのインピーダンスに整合させ、双方向共に同じ５０Ωのインピーダンスに整合させる。
【００７１】
図１７に示されるように、ディスプレイ窓２５が、電子ユニット２０から外部装置へ電磁アンテナ放射７０を送出するために使用される。このように、アンテナ放射７０は、ディスプレイ窓２５を通してボーリング・ヘッド１の外部へ送信される。
【００７２】
本実施形態では、無線データ送信用のアンテナは、ディスプレイ窓２５の後方領域でＰＣＢ６０に組み込まれた内部の高周波（ＲＦ）グランド・プレーン６７（図１８参照）と、アンテナ接続ねじ６６と、電子ケーシング２１とによって形成されている。金属製、すなわち導電性の電子ケーシング２１は、空間に露出したアンテナの導電性要素になる。グランド・プレーン６７と、導電性要素、すなわち電子ケーシング２１とが、アンテナの２つの分枝を形成する。アンテナ接続ねじ６６は、ＰＣＢ６０と、導電性要素、すなわち電子ケーシング２１との接続要素として働く。したがって、アンテナ接続ねじ６６は、導電性材料、すなわちアルミニウムなどの金属から製作され、他方、固定ねじ６５はいかなる材料から製作してもよく、プラスチック材又はチタンなどの低導電性材料又は非導電性材料から製作してもよい。アンテナ接続ねじ６６をＰＣＢ６０のアンテナ給電部へ接続するために、ＰＣＢ６０は、対応するねじ穴６９を取り巻く接点面を備える。本実施形態では、グランド・プレーン６７は、ディスプレイ窓２５の背面側の大部分を覆う矩形領域として設計されている。
【００７３】
本発明は、当然、上述の実施形態に限定されず、多数の変更形態が可能である。たとえば、データを外部装置へ無線送信するアンテナは、ディスプレイ窓２５の背後のセラミック・アンテナ、ディスプレイ窓２５の背後のマイクロストリップ・アンテナ、特にＰＣＢ６０上では、ディスプレイ窓２５の背後のパッチ・アンテナ、又はディスプレイ窓２５内に配置されたスロット・アンテナとして設計することができる。プッシュ・ボタン４９は、必ずしも電池カバー２８と一体ではなく、電池カバーとは独立に設けてもよい。ピエゾ要素を使用する代わりに、ボタンは、現況技術による他のいかなるボタンとして実現してもよい。代替実施形態では、ステム部３は、円錐形でもよく、断面が多角形でもよい。さらに、工具キャリヤ１０の半径方向変位を測定するセンサ１６及び測定領域１５の機能は、代替として、光学式、静電容量式、又は電磁誘導式の測定に基づいてもよい。「ブルートゥース」規格によって無線通信する代わりに、発信ユニットは、ＡＮＴ、ＺｉｇＢｅｅ、又は他のいかなる規格によって通信することにも適合することができる。多数のさらに別の変更が可能である。
【符号の説明】
【００７４】
１  ボーリング・ヘッド
２  本体
３  ステム部
４  ヘッド部
５  窪み部
６  刻印
７  ボルト
１０  工具キャリヤ
１１  インサート・ホルダ
１２  締付ねじ
１３  調節ねじ
１４  切削インサート
１５  測定領域
１６  センサ
２０  電子ユニット
２１  電子ケーシング
２２  ねじ穴
２３  ねじ穴
２４  固定ねじ
２５  ディスプレイ窓
２６  電池隔室
２７  ねじ穴
２８  電池カバー
３０  ディスプレイ
３１  ディスプレイ・カバー・ガラス
３２  分離フォイル
３３  ＬＣＤ
３４  ゼブラ・ストリップ・コネクタ
４０  カバー・プレート
４１  電池
４２  電池ケーシング
４３  窪み部
４４  窪み部
４５  上側電池シーリング
４６  下側電池シーリング
４７  ねじ穴
４８  固定ねじ
４９  プッシュ・ボタン
５０  ピエゾ・ダイヤフラム
５１  金属ディスク
５２  セラミック基板
５３  ピエゾ・ボード
５４  環状接点面
５５  中央接点面
５６  接点面
５７  電池スペーサ
５８  接着剤
５９  導電性粒子
６０  ＰＣＢ
６１  接点要素
６２  底面電池接点
６３  側面電池接点
６４  電子構成要素
６５  固定ねじ
６６  アンテナ接続ねじ
６７  グランド・プレーン
６８  主シーリング
６９  ねじ穴
７０  アンテナ放射
【図１】
2019527623.tif 000003
【図２】
2019527623.tif 000004
【図３】
2019527623.tif 000005
【図４】
2019527623.tif 000006
【図５】
2019527623.tif 000007
【図６】
2019527623.tif 000008
【図７】
2019527623.tif 000009
【図８】
2019527623.tif 000010
【図９】
2019527623.tif 000011
【図１０】
2019527623.tif 000012
【図１１】
2019527623.tif 000013
【図１２】
2019527623.tif 000014
【図１３】
2019527623.tif 000015
【図１４】
2019527623.tif 000016
【図１５】
2019527623.tif 000017
【図１６】
2019527623.tif 000018
【図１７】
2019527623.tif 000019
【図１８】
2019527623.tif 000020
【国際調査報告】
2019527623.tif 000021
2019527623.tif 000022
2019527623.tif 000023